(57)【要約】【課題】  通常の水を用いて、身体を横にして楽に浮いていることができるリラクゼーションシステムの提供。【解決手段】  人の横幅よりやや広い幅を有する貯留槽２の底部に、埋込ユニット１８が設けられる。埋込ユニット１８は、吸込んだ水を加圧水として吐出する加圧水供給手段４１と連通する。加圧水供給手段４１によって、貯留槽２内の水は、埋込ユニット１８を介して加圧水供給手段４１に吸い込まれ、加圧水として吐出される。そして、埋込ユニット１８を介して、水面に向けて噴射して吐出される。この際、埋込ユニット１８からは、貯留槽２内の水に身体を横にして浮いた状態において、背中から下半身にかけて、０．１５〜０．２５ＭＰａでかつ７００〜８６０ｌ／ｍｉｎで噴射される。【選択図】      図７
0003148202.tif 000002
【実用新案登録請求の範囲】
【請求項１】
人の横幅よりやや広い幅を有する貯留槽の底部に埋込ユニットが設けられ、この埋込ユニットには、前記貯留槽内の水を吸い込む吸込口と、前記貯留槽内に水を吐出する吐出口とが設けられており、
前記吸込口は、水を吸い込んで加圧水として吐出する加圧水供給手段と連通し、この加圧水供給手段は、前記吐出口と連通し、
前記吐出口は、前記貯留槽の底部から水面に向けて吐出するよう上方へ向けて設けられており、
前記貯留槽内の水に身体を横にして浮いた状態において、背中から下半身にかけて、０．１５〜０．２５ＭＰａでかつ７００〜８６０ｌ／ｍｉｎで噴射する
ことを特徴とするリラクゼーションシステム。
【請求項２】
前記貯留槽は、貯留槽設置部に設けられる領域とされ、
前記貯留槽設置部は、鉄筋コンクリート製の基体に、モルタルでタイルが敷き詰められた構造であり、
前記領域は、水を濾過する濾過手段と連通し、
前記領域内へ水を補給する補給水供給手段が設けられており、
前記領域の底部に前記埋込ユニットが設けられ、それぞれの前記吸込口は、前記加圧水供給手段と連通し、この加圧水供給手段は、それぞれの前記吐出口と連通し、
それぞれの前記吐出口は、前記領域の底部から水面に向けて吐出するよう上方へ向けて設けられており、
前記領域内の水に身体を横にして浮いた状態において、背中から下半身にかけて、０．１５〜０．２５ＭＰａでかつ７００〜８６０ｌ／ｍｉｎで噴射する
ことを特徴とする請求項１に記載のリラクゼーションシステム。
【考案の詳細な説明】
【技術分野】
【０００１】
本考案は、身体を横にした状態で水に浮かせて、リラックス効果を得ることができるリラクゼーションシステムに関するものである。
【背景技術】
【０００２】
塩分濃度が高いことで知られている死海では、その水質を利用して、浮遊浴が行われている。浮遊浴とは、浮いた状態で入浴する方法のことである。浮遊浴では、身体を横にして浮いていることができるため、リラックス効果に優れていることが確認されている。この点に着目して、入浴施設などでは、所定濃度の塩水を用いて、浮遊浴が行われている。
【考案の開示】
【考案が解決しようとする課題】
【０００３】
入浴施設などでの浮遊浴は、浴槽内の塩水を入れ替える場合があるため、大量の塩水を必要とする。また、所定濃度の塩水を用いるため、浴槽やその付属機器などを塩水仕様にする必要がある。そこで、所定濃度の塩水ではなく、通常の水を用いることが考えられる。しかしながら、通常の水では、所定濃度の塩水と比較して浮きにくいため、身体を横にして楽に浮いていることが難しい。
【０００４】
本考案が解決しようとする課題は、通常の水を用いて、身体を横にして楽に浮いていることができるリラクゼーションシステムを提供することにある。
【課題を解決するための手段】
【０００５】
本考案は、前記課題を解決するためになされたもので、請求項１に記載の考案は、人の横幅よりやや広い幅を有する貯留槽の底部に埋込ユニットが設けられ、この埋込ユニットには、前記貯留槽内の水を吸い込む吸込口と、前記貯留槽内に水を吐出する吐出口とが設けられており、前記吸込口は、水を吸い込んで加圧水として吐出する加圧水供給手段と連通し、この加圧水供給手段は、前記吐出口と連通し、前記吐出口は、前記貯留槽の底部から水面に向けて吐出するよう上方へ向けて設けられており、前記貯留槽内の水に身体を横にして浮いた状態において、背中から下半身にかけて、０．１５〜０．２５ＭＰａでかつ７００〜８６０ｌ／ｍｉｎで噴射することを特徴とするリラクゼーションシステムである。
【０００６】
請求項２に記載の考案は、前記貯留槽は、貯留槽設置部に設けられる領域とされ、前記貯留槽設置部は、鉄筋コンクリート製の基体に、モルタルでタイルが敷き詰められた構造であり、前記領域は、水を濾過する濾過手段と連通し、前記領域内へ水を補給する補給水供給手段が設けられており、前記領域の底部に前記埋込ユニットが設けられ、それぞれの前記吸込口は、前記加圧水供給手段と連通し、この加圧水供給手段は、それぞれの前記吐出口と連通し、それぞれの前記吐出口は、前記領域の底部から水面に向けて吐出するよう上方へ向けて設けられており、前記領域内の水に身体を横にして浮いた状態において、背中から下半身にかけて、０．１５〜０．２５ＭＰａでかつ７００〜８６０ｌ／ｍｉｎで噴射することを特徴とする請求項１に記載のリラクゼーションシステムである。
【考案の効果】
【０００７】
本考案によれば、通常の水を用いて、身体を横にして楽に浮いていることができるリラクゼーションシステムを提供することができる。しかも、貯留槽を人の横幅よりやや広い幅とし、かつ、この領域内の水に身体を横にして浮いた状態で背中から下半身にかけて、０．１５〜０．２５ＭＰａでかつ７００〜８６０ｌ／ｍｉｎで噴射するので、横になった状態で人の体が安定し、適格に浮遊力を人体に与えることができる。さらに、水を吸い込む吸込口と貯留槽内に水を吐出する吐出口とが設けられており、吐出口は、貯留槽の底部から水面に向けて吐出するよう上方に向けて設けられた、埋込ユニットを構成するので、新設の設備にはもちろん、既存の浴槽設備にも容易に設置することができる。
【考案を実施するための最良の形態】
【０００８】
以下、本考案のリラクゼーションシステムについて、実施例に基づきさらに詳細に説明する。
【０００９】
図１は、本考案のリラクゼーションシステムの一実施例が適用される貯留槽の一例を示す平面図であり、埋込ユニットが設置された状態を示している。図２は、図１の概略縦断面図であり、設置状態を示している。図示例では、貯留槽設置部１を左右に区切ることで、二つの貯留槽２，２が設けられている。二つの貯留槽２，２は、前後方向が長手方向とされ、後方で互いに連通している。
【００１０】
貯留槽設置部１は、鉄筋コンクリート製の基体３に、モルタル４でタイル５が貼り付けられた構造である。また、貯留槽設置部１は、左右に区切られると共に、貯留槽２内への階段８が設けられて構成される。図示例では、階段８の両側にステンレス製の手摺９が設けられる。
【００１１】
貯留槽設置部１には、貯留槽２を囲むように防波壁１０が設けられる。本実施例の防波壁１０は、ＳＵＳ３０４からなる金属製の枠体１１に、ガラス製のブロック体１２が連結して収容されて構成される。また、図示例では、貯留槽設置部１の外周部を囲むようにして、貯留槽設置部１内から溢れ出た水を受けるためのオーバーフロー路１３が設けられる。オーバーフロー路１３は、上方へ開口した断面略コ字形状とされ、ＳＵＳ３０４からなる金属製とされる。オーバーフロー路１３の上部には、グレーチングと呼ばれる樹脂製の蓋材１４が設けられる。貯留槽設置部１内から溢れ出た水は、蓋材１４を介してオーバーフロー路１３で受けられ、そのオーバーフロー路１３から外部へ排水される。
【００１２】
このような構成の貯留槽設置部１に、二つの貯留槽２，２が設けられている。貯留槽２には、その後壁に手摺１５が設けられると共に、その左右両壁に向かい合うようにして手摺１６が設けられる。本実施例では、手摺１５，１６は、ステンレス製とされる。図示例では、貯留槽２の後壁に設けられる手摺１５に、枕１７が設けられる。
【００１３】
貯留槽２の幅は、人の横幅よりやや広い幅とされる。具体的には、人の横幅に、その幅の５〜１５％程度を加えた幅とされる。本実施例では、貯留槽２の幅は、日本人の成人男性の平均的な体格（横幅約４５０ｍｍ）を基準としており、約５００ｍｍとされる。また、貯留槽２の長さは、伏し浮き状に手足を伸ばした状態の全長よりも長く、本実施例では、約２８５０ｍｍとされる。本実施例では、貯留槽２の深さは約１０００ｍｍとされ、約９００ｍｍの高さまで水が入れられる。従って、身体を仰向けにして枕１７に頭部が支持された状態はもちろん、手摺１５を持った状態で手足を伸ばしても、貯留槽２内で浮かぶことができる。
【００１４】
貯留槽２の幅が人の横幅にその５％よりも小さい割合を加えた幅である場合には、圧迫感が強まり、十分にリラックスできない。一方、貯留槽２の幅が人の横幅にその１５％よりも大きい割合を加えた幅である場合には、浮遊力を与えられた際に、貯留槽２内の水に横になって浮いた状態で必要以上に動いてしまって、体が安定しないおそれがある。
【００１５】
貯留槽２の底部には、後述する埋込ユニット１８が設けられる。図１に示すように、埋込ユニット１８は、貯留槽２内において、身体を仰向けにして枕１７に頭部が支持された状態で浮かんでいる使用者の前後方向略中央に対応する位置に設けられる。
【００１６】
図３から図６は、図１の埋込ユニットを示す図であり、図３は平面図、図４は図３のIV−IV断面図、図５は図３の横断面図、図６は図３のVI−VI断面図である。埋込ユニット１８は、ステンレス製の埋込箱１９と、埋込箱１９に貫通して設けられる筒状の吸込体２０と、埋込箱１９に貫通して設けられ上方へ水を吐出可能な吐出体２１とを主要部として備える。
【００１７】
埋込箱１９は、略矩形の中空ボックス状に形成されている。埋込箱１９は、上方へ開口した略矩形の中空ボックス状に形成された箱本体２２と、この箱本体２２の開口部に設けられる略矩形板状の上蓋２３とから構成される。
【００１８】
箱本体２２の前板および後板には、左右方向に離隔して、断面略Ｌ字形状の脚片２４が設けられる。脚片２４は、その水平部が箱本体２２の底板よりも下方に位置するように、各板の外面下端部に取り付けられる。脚片２４の水平部には、上下方向に貫通して挿通穴２５が形成されている。また、箱本体２２の側板内面には、断面略Ｌ字形状の支持片２６が設けられており、この支持片２６に上蓋２３が載せ置かれる。上蓋２３には、複数のスリット２７が形成されていると共に、前後方向略中央に左右に離隔して吐出穴２８が形成されている。
【００１９】
吸込体２０は、左端部に吸込口２９を有する円筒状であり、右端部に大径部３０が形成されている。吸込体２０は、軸線を左右方向に沿って埋込箱１９に設けられる。具体的には、箱本体２２の右板の前板側に、吸込体２０の大径部３０が貫通した状態で設けられる。この際、箱本体２２の左板と吸込体２０の左端面との間には、隙間が形成されている。本実施例では、隙間は、箱本体２２の左右方向の長さの略三分の一とされる。
【００２０】
吐出体２１は、筒状の第一部材３１と、この第一部材３１と連通する管状の第二部材３２とから構成される。図示例では、第一部材３１に、二本の第二部材３２，３２が左右方向に離隔して設けられている。
【００２１】
第一部材３１は、吸込体２０よりも内径の小さい円筒状であり、右端部に大径部３３が形成されている。第一部材３１は、軸線を左右方向に沿って埋込箱１９に設けられる。具体的には、箱本体２２の右板の後板側に、第一部材３１の大径部３３が貫通した状態で設けられる。この際、第一部材３１は、吸込体２０よりも左方へ延出している。
【００２２】
第二部材３２は、略Ｌ字形状で第一部材３１よりも内径の小さい円管状であり、先端部に吐出口３４を有する。第二部材３２は、基端部が第一部材３１と連通し、吐出口３４が上方へ向いている。図４に示すように、埋込箱１９内においては、上蓋２３の吐出穴２８と第二部材３２の吐出口３４とが対応しており、第二部材３２の先端部に形成された円形状のフランジ３５が上蓋２３に当接している。吐出口３４には、第二部材３２の内外を連通可能な蓋部材３６が設けられている。図示例では、吐出口３４に、格子網目状の蓋部材３６が設けられている。
【００２３】
第二部材３２は、その先端部へ外気を導入する円管状のエアー導入体３７と連通する。具体的には、エアー導入体３７は、第二部材３２よりも内径が小さく、基端部から左方へ延出した後、後方へ若干延出して互いに離隔する方向へ分かれており、先端部が第二部材３２の先端部に形成された開口３８を介して、第二部材３２と連通する。また、エアー導入体３７の基端部には、大径部３９が形成されており、この大径部３９が箱本体２２の右板を貫通する。このようにして、エアー導入体３７は、埋込箱１９に設けられる。
【００２４】
図４に示すように、第二部材３２内には、第二部材３２の周側壁先端部に形成された開口３８よりも下方に、オリフィス４０が設けられる。この際、オリフィス４０の先端部は、開口３８の下端部よりも上方へ延出している。図示例では、開口３８の半径程度延出している。
【００２５】
以上のような構成であるので、埋込ユニット１８は、脚片２４を介してスラブ７上に載せ置いた状態で、脚片２４の水平部に形成された挿通穴２５を介して、スラブ７にボルト（不図示）をねじ込むことで取り付けられる。埋込ユニット１８を取り付けることで、吸込口２９と吐出口３４とが一度に取り付けられるため、設置する際の作業性に優れている。
【００２６】
図７は、本実施例のリラクゼーションシステムの使用状態を示す概略斜視図であり、貯留槽の一部を切り欠いて示している。この図に示すように、埋込ユニット１８は、吸い込んだ水を加圧水として吐出する加圧水供給手段４１と連通する。
【００２７】
加圧水供給手段４１は、吸い込んだ水を加圧して吐出できる加圧ポンプ４２から構成され、その加圧ポンプ４２は、吐出用循環路４３の中途に設けられる。吐出用循環路４３は、上流側端部が吸込体２０と連通する一方、下流側端部が吐出体２１の第一部材３１と連通する。本実施例の吐出用循環路４３において、加圧ポンプ４２よりも上流側の内径は、加圧ポンプ４２よりも下流側の内径より大きい。
【００２８】
吐出用循環路４３には、加圧ポンプ４２よりも上流側に、吸い込まれた水に含まれる毛髪やゴミなどを取り除くヘアーキャッチャー４４が設けられる。このヘアーキャッチャー４４によって、加圧ポンプ４２内へ毛髪やゴミなどが入ることを防止できる。
【００２９】
ヘアーキャッチャー４４よりも上流側と、加圧ポンプ４２よりも下流側とは、第一バイパス路４５で接続される。第一バイパス路４５には、開閉弁４６とバイパス弁４７とが設けられる。従って、貯留槽２内への吐出圧力を容易に調整することができる。
【００３０】
第一バイパス路４５には、開閉弁４６とバイパス弁４７との間と、バイパス弁４７よりも下流側とを接続する第二バイパス路７３が設けられる。第二バイパス路７３には、開閉弁７４と自動弁７５とが設けられる。本実施例のリラクゼーションシステムには、使用者が操作できるスイッチ７６と、噴射状態などが表示されるサインプレート７７が設けられる。自動弁７５、スイッチ７６およびサインプレート７７などは、制御盤７８に接続されており、スイッチ７６からの操作信号に基づいて、自動弁７５が制御される。
【００３１】
開閉弁７４が開いた状態において、自動弁７５が閉じている場合にスイッチ７６を押すと、自動弁７５の開閉動作が所定時間なされる。自動弁７５が開いた状態では、第二バイパス路７３を水が通過するので、埋込ユニット１８からの噴射が弱くなり、その状態から自動弁７５を閉じると、噴射が強まって元に戻る。従って、貯留槽内の水に浮いている使用者を上下動させることができる。そして、所定時間経過後、自動弁７５の開閉動作が停止して、自動弁７５は閉じられる。なお、自動弁７５の開閉動作が行われる時間、および自動弁７５の開閉動作の間隔は、変更可能である。また、自動弁７５の開閉動作の開始および停止のための手動スイッチが設けられてもよい。
【００３２】
加圧ポンプ４２を作動させることで、貯留槽２内の水は、吸込口２９から加圧ポンプ４２内へ導入され、加圧水として埋込ユニット１８へ送りこまれる。そして、埋込ユニット１８の第二部材３２内に形成されたオリフィス４０を通過して、吐出口３４から上蓋２３の吐出穴２８を介して、水面に向けて噴射して吐出される。これにより、上方への水流を発生させることができる。この水流中には、外気による気泡を含ますことができる。具体的には、加圧ポンプ４２からの水がオリフィス４０を通過することで、エアー吸入部４８に負圧が生じて、これにより、外気と連通するエアー導入路４９からエアー導入体３７を介して外気が自然吸引されて、加圧ポンプ４２からの加圧水に混入される。その結果、貯留槽２内へは、気泡を含んだ水流が供給される。
【００３３】
図８は、埋込ユニットから使用者へ向けて噴射している状態を示す図である。この図に示すように、水流は、身体を仰向けにして枕１７に頭部が支持された状態で浮かんでいる場合において、背中から下半身にかけて噴射される。このために、埋込ユニット１８は、使用者の前後方向略中央に対応する位置で貯留槽２の底部に、二つの吐出穴２８，２８が貯留槽２の長手方向に離隔する向きに設けられる。
【００３４】
本実施例では、噴射圧力０．１５〜０．２５ＭＰａでかつ噴射量７００〜８６０ｌ／ｍｉｎで、埋込ユニット１８から噴射されるが、好ましくは、噴射圧力０．２ＭＰａでかつ噴射量７７０ｌ／ｍｉｎで、埋込ユニット１８から噴射される。噴射圧力や噴射量が前述した範囲の下限値よりも下の場合には、適切な浮遊力を与えることができない。一方、噴射圧力や噴射量が前述した範囲の上限値よりも上の場合には、加圧ポンプ４２を無駄に作動させることになったり、快適さが損なわれて十分にリラックスできなくなったりする。
【００３５】
ところで、図７に示すように、本実施例では、貯留槽２内へ補給水を供給する補給水供給手段５０と、貯留槽２内の水を濾過する濾過手段５１とがさらに貯留槽２に設けられる。
【００３６】
補給水供給手段５０は、高温水と水とを混合させて、その混合水を貯留槽２へ供給するものである。高温水は、ストレーナ５２および逆止弁５３を介してミキシングバルブ５４へ導入される一方、水は、ストレーナ５５および逆止弁５６を介してミキシングバルブ５４へ導入される。そして、ミキシングバルブ５４で混合されて、補給水弁５７を介して吐水口５８から貯留槽２へ供給される。本実施例の補給水弁５７は、モータバルブとされ、貯留槽２内の水位に基づき制御される。貯留槽２内の水位は、水位計５９にて監視される。水位計５９は、接続路６０を介して貯留槽２に接続される。接続路６０には、開閉弁６１が設けられる。
【００３７】
貯留槽２へ供給される混合水は、ミキシングバルブ５４へ導入される高温水と水との割合を変更することで、温度を調整することができる。混合水の温度は、温度計６２で確認できる。
【００３８】
濾過手段５１は、貯留槽２内の水を濾過する手段であり、濾過機６３を備えて構成される。濾過機６３は、濾過用循環路６４内を流通する水を濾過することができる。本実施例では、濾過用循環路６４は、貯留槽２の前後二箇所から吸い込んで、貯留槽２の前方側一箇所から戻すことができる構成である。貯留槽２の前後二箇所からの流路には、開閉弁６５が設けられる。
【００３９】
前記流路の合流箇所よりも下流側の濾過用循環路６４に、濾過機６３が設けられる。また、濾過用循環路６４には、前記流路の合流箇所と濾過機６３との間において、濾過機６３に近い方から順に、濾過用循環路６４を介して貯留槽２内の水を循環させるポンプ６６、そのポンプ６６内に毛髪やゴミなどが導入されるのを防止するヘアーキャッチャー６７、開閉弁６８が設けられる。
【００４０】
また、濾過用循環路６４には、濾過機６３よりも下流側に、熱交換器６９が設けられる。熱交換器６９は、温水ボイラ（不図示）と連通している。従って、濾過機６３にて濾過された水は、熱交換器６９を通過する間に、温水ボイラからの温水と熱交換できる。
【００４１】
本実施例の濾過用循環路６４において、ポンプ６６よりも上流側の合流路の内径は、ポンプ６６よりも下流側の流路の内径より大きい。また、ポンプ６６よりも上流側の合流路の内径は、貯留槽２の前後二箇所からの流路の内径よりも大きい。
【００４２】
ポンプ６６を作動させることで、貯留槽２内の水は、濾過用循環路６４を介して循環させることができる。このようにして循環する水は、濾過機６３にて濾過が図られ、熱交換器６９内で温水ボイラからの温水との熱交換により加温できる。
【００４３】
濾過用循環路６４には、貯留槽２内の水を滅菌するための薬液を導入することができる。薬液は、薬液タンク７０内に貯留されており、その薬液タンク７０から薬液供給路７１を介して、濾過用循環路６４の熱交換器６９よりも下流側に導入することができる。薬液の導入は、薬液供給路７１に設けられる薬注ポンプ７２にてなされる。本実施例では、循環中の水に混入する薬液として、次亜塩素酸ソーダを含む水溶液が用いられる。
【００４４】
本実施例によれば、通常の水に身体を横にして楽に浮いていることができる。また、貯留槽２を人の横幅よりやや広い幅とし、かつ、この貯留槽２内の水に身体を横にして浮いた状態で背中から下半身にかけて、０．１５〜０．２５ＭＰａでかつ７００〜８６０ｌ／ｍｉｎで噴射するので、横になった状態で人の体が安定し、適格に浮遊力を人体に与えることができる。また、貯留槽２内の水を吸い込む吸込口２９と、貯留槽２内に水を吐出する吐出口３４とを備えた埋込ユニット１８を構成するので、新設の設備にはもちろん、既存の設備にも容易に設置することができる。さらに、スイッチ７６の操作によって、噴射に強弱を与えて、浮遊力を変えることができ使用者の体を上下動させることができる。これにより、リラックス効果をさらに向上させることができる。
【００４５】
本考案のリラクゼーションシステムは、前記実施例の構成に限らず、適宜変更可能である。特に、埋込ユニット１８は、貯留槽２内の水を吸い込む吸込口２９と、貯留槽２内へ水を吐出する吐出口３４とが設けられる構成であれば、適宜に変更される。
【００４６】
また、前記実施例では、貯留槽設置部１に二つの貯留槽２，２が設けられたが、一つでもよいし、三つ以上でもよい。さらに、前記実施例では、貯留槽２は、貯留槽設置部１内に設けられたが、所望の場所に取外可能に設置できる浴槽としてもよい。
【図面の簡単な説明】
【００４７】
【図１】本考案のリラクゼーションシステムの一実施例が適用される貯留槽の一例を示す平面図であり、埋込ユニットが設置された状態を示している。
【図２】図１における概略縦断面図であり、設置状態を示している。
【図３】図１の埋込ユニットの平面図である。
【図４】図３におけるIV−IV断面図である。
【図５】図３における横断面図である。
【図６】図３におけるVI−VI断面図である。
【図７】本考案のリラクゼーションシステムの一実施例の使用状態を示す概略斜視図であり、貯留槽の一部を切り欠いて示している。
【図８】埋込ユニットから使用者へ向けて噴射している状態を示す図である。
【符号の説明】
【００４８】
１  貯留槽設置部
２  貯留槽
３  基体
４  モルタル
５  タイル
１８  埋込ユニット
２９  吸込口
３４  吐出口
４１  加圧水供給手段
５０  補給水供給手段
５１  濾過手段
【図１】
0003148202.tif 000003
【図２】
0003148202.tif 000004
【図３】
0003148202.tif 000005
【図４】
0003148202.tif 000006
【図５】
0003148202.tif 000007
【図６】
0003148202.tif 000008
【図７】
0003148202.tif 000009
【図８】
0003148202.tif 000010